(57)【特許請求の範囲】
【請求項１】
車両用ホイールのリムの締付・回転手段を実質的に鉛直な回転軸の周りで支持する支持用構造体と、この支持用構造体によって支持され、かつ、タイヤを前記リムに取り付け／前記リムから取り外すために適している少なくとも１つの工具と、前記ホイールを前記締付・回転手段に配置し／前記締付・回転手段から取り外すように適合された引き上げ手段とを備えてなり、前記引き上げ手段に、前記ホイールのための実質的に水平な支持面を画定する第１フレーム構造が少なくとも設けられ、この第１フレーム構造は、前記支持用構造体に結合されているとともに、それが前記締付・回転手段を少なくとも部分的に包囲する下方位置と、それが前記締付・回転手段よりも実質的に高い上方位置との間で、移動することができ、前記引き上げ手段は、前記ホイールのための載置部分があるとともに前記支持用構造体に結合されていて前記支持用構造体に沿って回転する第２フレーム構造と、前記第１フレーム構造が上記下方位置にあり、かつ、前記第２フレーム構造の前記載置部分が前記第１フレーム構造よりも実質的に低くて前記第１フレーム構造に対して直角である第１形態と、前記第１フレーム構造が上記上方位置にあるとともに前記第２フレーム構造の前記載置部分が前記第１フレーム構造によって画定された前記支持面と実質的に同一平面にあって前記支持面に部分的に重なっている第２形態との間で移動する、前記第１フレーム構造および前記第２フレーム構造のための移動手段とを少なくとも備えていることを特徴とする、車両用ホイールタイヤの取り付け・取り外し装置。
【請求項２】
前記移動手段は、前記支持用構造体に一体に結合された固定部分と前記第１フレーム構造および前記第２フレーム構造に結合された可動部分とを有しているアクチュエータ装置を少なくとも備えていることを特徴とする請求項１に記載の装置。
【請求項３】
前記アクチュエータ装置の前記可動部分は、前記第１フレーム構造に一体に結合されているとともに、前記下方位置と前記上方位置との間における前記第１フレーム構造の移動のために、実質的に鉛直な方向に沿って平行移動するように適合されていることを特徴とする請求項２に記載の装置。
【請求項４】
前記アクチュエータ装置の前記可動部分は、前記第２フレーム構造のプッシャ要素を少なくとも備えていることを特徴とする請求項２または３に記載の装置。
【請求項５】
前記プッシャ要素は、前記第２フレーム構造の少なくとも一部に沿って摺動するように結合されていることを特徴とする請求項４に記載の装置。
【請求項６】
前記第２フレーム構造は、前記プッシャ要素を案内するためのガイド手段を備えていることを特徴とする請求項４または５に記載の装置。
【請求項７】
前記ガイド手段は、前記プッシャ要素の少なくとも対応部分が内側で摺動状に係合する長穴を少なくとも備えていることを特徴とする請求項６に記載の装置。
【請求項８】
前記長穴は、前記第２フレーム構造の前記載置部分によって画定された面に対して実質的に傾斜した方向に沿って広がっていることを特徴とする請求項７に記載の装置。
【請求項９】
前記長穴は、開放状長穴の型のものであることを特徴とする請求項７または８に記載の装置。
【請求項１０】
前記プッシャ要素は、実質的に水平なロッドを少なくとも備えていることを特徴とする請求項４〜９のいずれか１つに記載の装置。
【請求項１１】
前記ガイド手段は、前記ロッドのそれぞれの部分が内側に嵌まって摺動する、互いに間隔を置いて配置された前記長穴を少なくとも一対備えていることを特徴とする請求項１０に記載の装置。
【請求項１２】
前記アクチュエータ装置は、線形アクチュエータの型のものであることを特徴とする請求項２〜１１のいずれか１つに記載の装置。
【請求項１３】
前記移動手段は、ただ１つのアクチュエータ装置を備えていることを特徴とする請求項１〜１２のいずれか１つに記載の装置。
【請求項１４】
前記第２フレーム構造は、前記支持用構造体へ関節状に連結された第１部分と、この第１部分から実質的に中間に延びている第２部分とを備えていることを特徴とする請求項１〜１３のいずれか１つに記載の装置。
【請求項１５】
前記第２フレーム構造の自由端部は、前記ホイールを支持するための、前記第２部分に対して実質的に直角に延びている支持用第３部分を少なくとも有していることを特徴とする請求項１４に記載の装置。
【請求項１６】
前記第２フレーム構造の前記第１部分は、前記締付・回転手段の下方で、前記支持用構造体の実質的に側方の部分でヒンジ留めされていることを特徴とする請求項１４または１５に記載の装置。
【請求項１７】
前記第１形態において、前記第２フレーム構造の前記第１部分は、実質的に水平に配されているとともに前記締付・回転手段を少なくとも部分的に包囲しており、前記第２フレーム構造の前記第２部分は、実質的に鉛直にかつ前記支持用構造体の側方部分の近傍で下方へ延びていることを特徴とする請求項１４〜１６のいずれか１つに記載の装置。
【請求項１８】
前記第２形態において、前記第２フレーム構造の前記第１部分は、実質的に鉛直にかつ上方へ延びており、前記第２フレーム構造の前記第２部分は、前記締付・回転手段の上方で実質的に水平に配されていることを特徴とする請求項１４〜１７のいずれか１つに記載の装置。
【請求項１９】
前記ガイド手段は、前記第２フレーム構造の前記第２部分に沿って画定されていることを特徴とする請求項１４〜１８のいずれか１つに記載の装置。
【請求項２０】
前記第１フレーム構造は、実質的に長方形のフレームを少なくとも備えていることを特徴とする請求項１〜１９のいずれか１つに記載の装置。
【請求項２１】
前記第１フレーム構造は、前記支持用構造体の上における前記ホイールの移動を促進するための促進手段を備えていることを特徴とする請求項１〜１９のいずれか１つに記載の装置。
【請求項２２】
前記移動を促進するための前記促進手段は、ローラ型などのもの、かつ／または、他の摺動装置であることを特徴とする請求項２１に記載の装置。
【発明の詳細な説明】
【技術分野】
【０００１】
この発明は、自動式ホイール引き上げ手段が特に装備された、車両用ホイールタイヤの取り付け・取り外し装置（a machine for fitting and removing wheel tyres for vehicles）に関するものである。
【背景技術】
【０００２】
車両用ホイールが、その外周に沿って、弾性タイヤの縁部分、いわゆる「ビード」を付着性止め部として収容するように適合された環状フランジが取り付けられた金属製リムを備えていることは、知られている。
【０００３】
保守、修理あるいは交換の作業を実行するために、タイヤを関連するそれらのリムに取り付けたりそれらのリムから取り外したりする、いわゆる「タイヤ交換」装置（“tyre changing”machines）の使用が現在知られている。このようなタイヤ交換装置には一般に、タイヤを取り付け／取り外す必要のあるホイールのリムを締め付けたり回転させたりするための締付・回転手段およびタイヤを取り付けたり取り外したりするための１つ以上の工具を支持するように適合されたフレームが備わっている。
【０００４】
リムを締め付けたり回転させたりするための締付・回転手段は、タイヤ取り外し／取り付け作業の間の作業員によるホイールへの接近を容易にするために、地面から離れたある所定高さに据え付けられる、ことが知られている。
【０００５】
さらにまた、ホイールは一般に、実質的に鉛直な軸の周りで締付・回転手段へ固定される。このことによって、ホイールを締付・回転手段の上に配置するために、またその後にホイールをその取り外し／取り付け作業に続いて地面に再配置するために、ホイールを地面から引き上げる予備作業が必然的に求められる。
【０００６】
この引き上げ作業には、水平な配置のためと締付・回転手段における鉛直な回転軸があるためにホイールを傾斜させることが求められ、また、地面に再配置するためにその後にホイールを傾斜させることが求められる。ホイールを地面から引き上げる作業および地面に配置する作業は一般に作業員によって手で行われるため、作業員は著しい身体的負担を受け、また、この作業は実際、一日に何度も繰り返さなければならない。
【０００７】
この問題を防止するために、自動化方式でホイールを傾斜させて締付・回転手段の高さまで引き上げる（また、同様にしてホイールを地面に再配置する）引き上げ器具の取り付けられたタイヤ交換装置が知られている。
【０００８】
この引き上げ器具には一般に、水平な第１フレーム構造が備わっており、これは、締付・回転手段の周りに広がっているとともに、第１アクチュエータの作動によって鉛直方向に沿って動き、また、その上にホイールを載せるように意図されている。
【０００９】
突出状プロングに取り付けられた第２フレーム構造が第１フレーム構造の一方側部にヒンジ留めされており、この第２フレーム構造は、第２アクチュエータの作動によって、地面の近傍で水平に配置された上記プロングに対して実質的に垂直である下方第１位置と、水平であって第１フレーム構造と同一平面にある上方第２位置との間で、回転することができる。
【００１０】
この引き上げ器具を使用するとき、作業員は、ホイールを上記下方位置で第２フレーム構造に対して垂直に配置する。次いで、第１フレーム構造とこれにヒンジ留めされた第２フレーム構造とが第１アクチュエータによって引き上げられ、これに続いて、第２フレーム構造が第２アクチュエータの作動によって上記上方位置まで移動する。この上方位置では、ホイールは水平であり（回転軸は鉛直）、また、第１フレーム構造は締付・回転手段の上方に位置している。
【００１１】
その後、作業員は、ホイールを第１フレーム構造からアイドルローラに取り付けられていてもよい第２フレーム構造の上まで引き上げて、ホイールの回転軸を下方の締付・回転手段の回転軸に芯合わせさせる。次いで、第１フレーム構造が第１アクチュエータによって下げられて、ホイールリムが締付・回転手段へ固定される。
【００１２】
タイヤ取り外し／取り付け作業の次に、リムは締付・回転手段から外され、また、上記と同じようにして、第１フレーム構造および第２フレーム構造の組み合わせ作用によって、ホイールが地面に再配置される。
【発明の開示】
【発明が解決しようとする課題】
【００１３】
しかしながら、これらの公知の装置にはいくつかの困難性がある。
【００１４】
実際に、これらの公知の引き上げ器具では、作業員は、ホイールを回転軸どうしの位置合わせおよび固定のために、締付・回転手段の上方にホイールを配置するために、ホイールを第２フレーム構造から第１フレーム構造まで手で引き上げることを余儀なくされる。同様に、作業員は、ホイールを地面に再配置するために、ホイールを第１フレーム構造から第２フレーム構造まで手で引き下げなければならない。このため、この作業によれば、作業員には身体的労力も求められ、また、締付・回転手段への／からのホイール移動の時間全体が大幅に増加して時間の浪費でもある。
【００１５】
この発明の主要な目的は、より速い、またほとんど骨の折れないホイール移動作業を保証する車両用ホイールタイヤの取り付け・取り外し装置を提供することである。この発明のさらに別の目的は、構造的にも機能的にもいっそう簡単な解決策を使用してホイールを取り扱うホイールタイヤの取り付け・取り外し装置を提供することである。この発明のさらに別の目的は、容易に使用することのできる合理的解決策の範囲内で従来技術の上記短所を克服するタイヤの取り付け・取り外し装置を提供することである。
【課題を解決するための手段】
【００１６】
上記諸目的は、車両用ホイールのリムの締付・回転手段を実質的に鉛直な回転軸の周りで支持する支持用構造体と、この支持用構造体によって支持され、かつ、タイヤを前記リムに取り付け／前記リムから取り外すために適している少なくとも１つの工具と、前記ホイールを前記締付・回転手段に配置し／前記締付・回転手段から取り外すように適合された引き上げ手段とを備えてなり、前記引き上げ手段に、前記ホイールのための実質的に水平な支持面を画定する第１フレーム構造が少なくとも設けられ、この第１フレーム構造は、前記支持用構造体に結合されているとともに、それが前記締付・回転手段を少なくとも部分的に包囲する下方位置と、それが前記締付・回転手段よりも実質的に高い上方位置との間で、移動することができ、前記引き上げ手段は、前記ホイールのための載置部分があるとともに前記支持用構造体に結合されていて前記支持用構造体に沿って回転する第２フレーム構造と、前記第１フレーム構造が上記下方位置にあり、かつ、前記第２フレーム構造の前記載置部分が前記第１フレーム構造よりも実質的に低くて前記第１フレーム構造に対して直角である第１形態と、前記第１フレーム構造が上記上方位置にあるとともに前記第２フレーム構造の前記載置部分が前記第１フレーム構造によって画定された前記支持面と実質的に同一平面にあって前記支持面に部分的に重なっている第２形態との間で移動する、前記第１フレーム構造および前記第２フレーム構造のための移動手段とを少なくとも備えていることを特徴とする、車両用ホイールタイヤの取り付け・取り外しのためのこの装置によって、すべて達成される。
【００１７】
この発明の他の特徴および利点は、一例としてだけ示され、それゆえ添付図面に限定されることのない、車両用ホイールタイヤの取り付け・取り外し装置の、好ましいが唯一の実施形態ではない説明によって、いっそう明らかにされるであろう。
【発明を実施するための最良の形態】
【００１８】
以下、この発明における実施の形態を図面に基づいて詳しく説明する。なお、これによってこの発明が限定されるものではない。図１は、この発明による装置の概略不等角投影図である。図２〜図７は、ホイールの引き上げに関連した装置動作の相異なる局面と締付・回転手段におけるその位置付けとを概略的に示している、この発明による装置の引き上げ手段の側面図である。
【００１９】
これらの図面を詳しく参照すれば、自動車修理用作業場あるいは同様の作業場においてホイールの保守、修理あるいは交換を実行するために広く使用される型の車両用ホイールタイヤの取り付け・取り外し装置を全体的に表示するために、１が使用されている。
【００２０】
この装置１は支持用構造体２からなっており、支持用構造体２には、車両用ホイールＢのリムＡの締付・回転手段４の支持用台座３と、リムＡへの／からのタイヤＣの取り付け／取り外しのための少なくとも１つの工具６のための支持用直立部５とが備わっている。
【００２１】
具体的には、締付・回転手段４は、公知の型の装置に広く使用されるとともに鉛直な回転軸Ｄの周りでホイールＢを締め付けるとともに回転させるのに適している型のものである。
【００２２】
この装置１には、ホイールＢを地面から引き上げてそれを締付・回転手段４の上に配置するために使用されるとともに、ホイールＢを締付・回転手段４から取り外してそれを地面の上に再配置するように適合された自動式引き上げ手段が備わっている。
【００２３】
これらの引き上げ手段には、参照符号７によって全体が表わされた第１フレーム構造が備わっている。この第１フレーム構造７は、ホイールＢのための水平な支持面を画定するように適合されているとともに、支持用構造体２に、具体的には台座３に結合されている。また、第１フレーム構造７は、締付・回転手段４を包囲する下方位置と締付・回転手段４の上方に位置している上方位置との間で、鉛直方向に沿って移動する。
【００２４】
具体的には、第１フレーム構造７には、ホイールＢのための上記支持面を画定するとともに上記下方位置において締付・回転手段４から鉛直に広がる中央開口を限定する長方形フレーム７ａが備わっている。
【００２５】
有用なことに、第１フレーム構造７には、フレーム７ａのそれぞれの端部の側方かつ近傍において水平にかつ互いに平行に延びているとともに、回転軸Ｄにおける上記芯合わせの間にホイールＢの動きを容易にするように適合された４つのアイドルローラ７ｂが備わっている。しかしながら、例えば異なる数あるいは異なる配置のローラの使用を、あるいはまた、他の摺動装置の使用を予測する代わりの解決策が講じられてもよい。
【００２６】
この引き上げ手段には、支持用構造体２に結合されかつそれに関して回転するともに、ホイールＢを地面から引き上げてそれを実質的に鉛直な位置から水平な位置まで移動させるように適合された第２フレーム構造８もまた備わっている。第２フレーム構造８は、タイヤＣの取り外し／取り付けに続いてホイールＢを地面に再配置するためにも使用される。
【００２７】
第２フレーム構造８には、締付・回転手段４の下方にある台座３の実質的に横方向の部分に、支持用構造体２へ関節状に連結された第１部分８ａがある。第２フレーム構造８の第２部分８ｂが、第１部分８ａに対して実質的に直角に延びており、かつ、ホイールＢを収容する載置部分９を画定している。
【００２８】
第２フレーム構造８の自由端部は第３部分８ｃに沿って延びており、この第３部分８ｃは、第２部分８ｂに対して実質的に直角に延びているとともに、引き上げ作業の間にあるいは地面への再配置の時にホイールＢを保持する。
【００２９】
具体的には、第２フレーム構造８には一対のサイドアーム１０が備わっており、これらのサイドアーム１０は、互いに平行であって一定の間隔を置いて配置され、一方端部がそれぞれのヒンジ留め箇所１１において台座３の上に関節状に結合され、上記の第１部分８ａ、第２部分８ｂおよび第３部分８ｃを画定しているとともに、自由端部で、ブリッジ１２の介在によって互いに連結されている。
【００３０】
この装置１には移動手段１３が備わっており、この移動手段１３は、第１フレーム構造７と第２フレーム構造８とを、図２および図７において概略的に示された第１形態と図４および図５において概略的に示された第２形態との間で移動させる。
【００３１】
上記第１形態では、第１フレーム構造７は上記下方位置にあり、また、第２フレーム構造８の載置部分９は、第１フレーム構造７に対して実質的に直角に配されていて、第１フレーム構造７よりも低い。
【００３２】
具体的には、上記第１形態では、第２フレーム構造８の第１部分８ａは、実質的に水平に配されているとともに締付・回転手段４を部分的に包囲しており、第２部分８ｂは、実質的に鉛直にかつ台座３の側方部分に沿って下方へ延びており、また、第３部分８ｃは、地面の近傍で実質的に水平に延びている。
【００３３】
都合のよいことに、上記第２形態では、第１フレーム構造７は上記上方位置にあり、また、第２フレーム構造８の載置部分９は、第１フレーム構造７によって画定された上記支持面と実質的に同一面にあり、かつ、上記支持面に一部重なっている。
【００３４】
具体的には、上記第２形態では、第２フレーム構造８の第１部分８ａは、実質的に鉛直にかつ上方へ延びており、第２部分８ｂは、締付・回転手段４の上方で水平に配されて、第１フレーム構造７のフレーム７ａにおける２つの側部に沿って外側へ延びている。
【００３５】
都合のよいことに、移動手段１３は、第１フレーム構造７および第２フレーム構造８の両方を移動させる単一のアクチュエータ装置から構成されている。このアクチュエータ装置１３には、支持用構造体２の台座３に一体に結合された固定部分１３ａと、第１フレーム構造７および第２フレーム構造８に結合された可動部分１３ｂとがある。
【００３６】
具体的には、アクチュエータ装置１３は、油圧式、電気機械式あるいは空気圧式の型の線形アクチュエータから構成されている。固定部分１３ａは、線形アクチュエータ１３の本体から構成されており、一方、可動部分１３ｂは、線形アクチュエータ１３のステムから構成されているとともに上方へ鉛直に延びている。
【００３７】
上記図面に示された特定の上記実施形態に限定されないもののこれを特に参照すると、線形アクチュエータ１３の可動部分１３ｂには小フレーム１４が備わっており、この小フレーム１４には、第１フレーム構造７のフレーム７ａの一方側部が一体に結合されている。この可動部分１３ｂは、上記下方位置と上記上方位置との間における第１フレーム構造７の移動のために鉛直に平行移動する。
【００３８】
小フレーム１４には、第１フレーム構造７が上記第１形態と上記第２形態との間で移動するのと同時に、その移動を行わせる第２フレーム構造８のプッシャ要素１５もまた備わっている。
【００３９】
具体的には、このプッシャ要素１５は、小フレーム１４によって支持されたロッドから構成されており、その突出状端部が第２フレーム構造８に嵌まるとともに第２フレーム構造８の一部に沿って摺動する。
【００４０】
第２フレーム構造８には、ロッド１５の摺動を案内するためのガイド手段１６が備わっており、このガイド手段１６は、第２部分８ｂに沿ってかつそれぞれの側方アーム１０に画定されてロッド１５のそれぞれの突出状端部が内側に嵌まって摺動するまっすぐな一対の開放状長穴から構成されている。
【００４１】
具体的には、これらの長穴１６は、上記第１形態および上記第２形態の両方における正確な位置付けを保証するために、載置部分９によって画定された面に対して適切に傾斜した方向に沿って、互いに平行に延びている。
【００４２】
しかしながら、地面からのホイールＢの引き上げあるいは地面におけるホイールＢの再配置の間に第２フレーム構造８の回転速度における所定の変化が可能になるこれらの長穴１６の代わりの形態が排除されることはない。
【００４３】
装置１の使用に際し、第１フレーム構造７および第２フレーム構造８は、初めは上記第１形態に配される。
【００４４】
実行されるタイヤＣの保守、修理あるいは交換において、ホイールＢは、作業員によって、実質的に鉛直に配された第２フレーム構造８の上に配置されて、第２部分８ｂおよび第３部分８ｃの上に載る（図２）。
【００４５】
次いで、第１フレーム構造７および第２フレーム構造８は、線形アクチュエータ１３の作動によって引き上げられて（図３）、第２形態へ至るが、そこでは、ホイールＢは締付・回転手段４の上方で水平に配され、かつ、位置決め部分７および第２フレーム構造８は実質的に同一平面にあって部分的に重なっている（図４）。
【００４６】
上記第１形態から上記第２形態まで移動するとき、線形アクチュエータ１３のステム１３ｂに結合された小フレーム１４は上昇して、第１フレーム構造７が上記下方位置から上記上方位置まで移動するとともに、長穴１６に嵌まって摺動するロッド１５の端部によって第２フレーム構造８が上方へ回転する。
【００４７】
次いで、作業員は、ホイールＢの回転軸と締付・回転手段４の回転軸Ｄとを芯合わせし、その間にホイールＢは第１フレーム構造７のローラ７ｂの上で移動する（図５）。
【００４８】
この芯合わせ作業の間におけるホイールＢの移動は、第１フレーム構造７および第２フレーム構造８の特定の配置および形態のために最小限であり、ホイールＢの回転軸は、どんなときにも回転軸Ｄの近傍にある、ことに留意すべきである。
【００４９】
その後、第１フレーム構造７および第２フレーム構造８は線形アクチュエータ１３によって上記第１形態へ戻され、具体的には、上記上方位置から上記下方位置への移動によって、ホイールＢ、とりわけリムＡは、締付・回転手段４の上へ運ばれる（図６および図７）。
【００５０】
次いで、作業員は、ホイールＢを締付・回転手段４へ固定するとともに、タイヤＣの次の取り付け／取り外し作業を続行する。
【００５１】
タイヤＣの取り付け／取り外し作業の次における締付・回転手段４の上でのホイールＢの上記引き上げ・配置局面から容易に推論することができるように、第１フレーム構造７および第２フレーム構造８の組み合わせ動作と、初めは上記第２形態にあり、その後に上記第１形態にあるこれらの配置とによって、ホイールＢが地面に再配置される。
【００５２】
この発明がどのようにして上記諸目的を達成するかということと、とりわけ、上記装置がホイールのより速くかつより骨の折れない移動を保証するという事実が際立つこととは、実際にわかった。
【００５３】
より詳しくは、引き上げの間の上記第２形態における上記第１フレーム構造と上記第２フレーム構造との間における実質的に一部重なり合う特定の位置によって、ホイールの回転軸が上記締付・回転手段の近傍に移動し、それによって、時間浪費型であって作業員にとって骨が折れるホイールの手による移動が回避される。
【００５４】
有用なことに、上記第２フレーム構造を使用してホイールを引き上げた後に、ホイールの回転軸と上記締付・回転手段の回転軸との距離は、処理されるホイールの寸法が増大すればするほど減少する。従って、このことによって、より大きい寸法のホイールについての上記芯合わせ局面の間にホイールの移動はより少なくなる。
【００５５】
同じようにして、この発明によれば、ホイールを地面に再配置するために、より速くかつより骨の折れない作業が導かれる。
【００５６】
さらにまた、上記第１フレーム構造および第２フレーム構造の両方を移動させるための単一の線形アクチュエータが存在することで、構造的にもまた機能的にもより簡単な解決策を利用することで、ホイールの移動が可能になる。
【００５７】
このように構想されたこの発明は、すべてがこの発明の構想の範囲内にある多数の修正および変更を受けることができる。さらにまた、すべての細部は技術的に等価である他の細部に置き換えることができる。
【００５８】
実際に、使用される材料は、起こりうる形状および寸法と同容に、特許請求の範囲の保護範囲の外へ出ることのない要件に従う限り、どのようなものでもよい。
【図面の簡単な説明】
【００５９】
【図１】図１は、この発明による装置の概略不等角投影図である。
【図２】図２は、ホイールの引き上げに関連した装置動作のある局面と締付・回転手段におけるその位置付けとを概略的に示している、この発明による装置の引き上げ手段の側面図である。
【図３】図３は、ホイールの引き上げに関連した装置動作のある局面と締付・回転手段におけるその位置付けとを概略的に示している、この発明による装置の引き上げ手段の側面図である。
【図４】図４は、ホイールの引き上げに関連した装置動作のある局面と締付・回転手段におけるその位置付けとを概略的に示している、この発明による装置の引き上げ手段の側面図である。
【図５】図５は、ホイールの引き上げに関連した装置動作のある局面と締付・回転手段におけるその位置付けとを概略的に示している、この発明による装置の引き上げ手段の側面図である。
【図６】図６は、ホイールの引き上げに関連した装置動作のある局面と締付・回転手段におけるその位置付けとを概略的に示している、この発明による装置の引き上げ手段の側面図である。
【図７】図７は、ホイールの引き上げに関連した装置動作のある局面と締付・回転手段におけるその位置付けとを概略的に示している、この発明による装置の引き上げ手段の側面図である。
【符号の説明】
【００６０】
Ａ：リム
Ｂ：ホイール
Ｃ：タイヤ
Ｄ：回転軸
Ｅ：ビード
１：装置
２：構造体
３：台座
４：締付・回転手段
５：直立部
６：工具
７：第１フレーム構造
７ａ：フレーム
７ｂ：アイドルローラ
８：第２フレーム構造
８ａ：第１部分
８ｂ：第２部分
８ｃ：第３部分
９：載置部分
１０：サイドアーム
１１：ヒンジ留め箇所
１２：ブリッジ
１３：アクチュエータ（移動手段）
１３ａ：固定部分
１３ｂ：可動部分
１４：小フレーム
１５：ロッド（プッシャ要素）
１６：長穴（ガイド手段）
【図１】
0005401081.tif 000002
【図２】
0005401081.tif 000003
【図３】
0005401081.tif 000004
【図４】
0005401081.tif 000005
【図５】
0005401081.tif 000006
【図６】
0005401081.tif 000007
【図７】
0005401081.tif 000008